(57)【要約】【課題】ベルト同士の着脱を妊婦が簡単に行うことができ、しかも妊婦の腹部だけではなく腰部や臀部の上方の保護および保温をも行うことができるベルト付き妊婦帯を提供する。【解決手段】筒状とされて、少なくとも筒が広がる方向への伸縮性を有する妊婦帯本体１２と、妊婦帯本体１２の背面側上方に配置されて、妊婦帯本体１２より伸縮しづらい構成とされた腰支え部１４と、妊婦の下腹部に沿って配置される第１ベルト部材２１と第２ベルト部材２２であって、腰支え部１４で第１ベルト部材２１の一方の端部８１と第２ベルト部材２２の一方の端部９１が固定され、腰支え部１４から斜め下方に延伸されており、第１ベルト部材２１の他方の端部８２と第２ベルト部材２２の他方の端部９２が前面側で着脱可能とされ、妊婦帯本体１２より伸縮しづらい構成とされた第１ベルト部材２１と第２ベルト部材２２とからなり、妊婦帯本体１２が背面側も下方に延伸されている。【選択図】図１
2005207001.tif 000002
【特許請求の範囲】
【請求項１】
筒状とされて、少なくとも前記筒が広がる方向への伸縮性を有する妊婦帯本体と、
前記妊婦帯本体の背面側上方に配置されて、前記妊婦帯本体より伸縮しづらい構成とされた腰支え部と、
妊婦の下腹部に沿って配置される第１ベルト部材と第２ベルト部材であって、前記腰支え部で前記第１ベルト部材の一方の端部と前記第２ベルト部材の一方の端部が固定され、前記腰支え部から斜め下方に延伸されており、前記第１ベルト部材の他方の端部と前記第２ベルト部材の他方の端部が前面側で着脱可能とされ、前記妊婦帯本体より伸縮しづらい構成とされた前記第１ベルト部材と前記第２ベルト部材と、からなり、
前記妊婦帯本体が前記背面側における前記腰支え部よりも下方に延伸されていることを特徴とするベルト付き妊婦帯。
【請求項２】
前記第１ベルト部材における前面側となる前記他方の端部の外面には、面テープの一方の部材が配置され、前記第２ベルト部材における前面側となる前記他方の端部の内面には、前記面テープの他方の部材が配置されて、前記第１ベルト部材の前記他方の端部と前記第２ベルト部材の前記他方の端部が着脱可能とされていることを特徴とする請求項１に記載のベルト付き妊婦帯。
【請求項３】
前記腰支え部には、少なくとも２本の骨格部が形成されており、前記腰支え部の側縁に沿って前記第１ベルト部材の前記一方の端部と前記第２ベルト部材の前記一方の端部が固定されていることを特徴とする請求項１に記載のベルト付き妊婦帯。
【請求項４】
前記妊婦帯本体の内面には、少なくとも背面の上方と前面の下方を連結するように配置された補強部が形成されていることを特徴とする請求項１に記載のベルト付き妊婦帯。
【請求項５】
前記腰支え部に固定された前記第１ベルト部材の前記一方の端部近傍と前記腰支え部に固定された前記第２ベルト部材の前記一方の端部近傍における少なくとも上縁側が、下方に窪む方向の曲線形状に形成されていることを特徴とする請求項１に記載のベルト付き妊婦帯。
【発明の詳細な説明】
【技術分野】
【０００１】
本発明は、妊婦の腹部に装着して特に膨らんだ腹部を支えるためのベルト付き妊婦帯に関する。
【背景技術】
【０００２】
妊婦帯は、妊婦の腹部を保護したり保温するために使用されている。特に膨らんだ妊婦の腹部は、ベルト付きの妊婦帯により支える構造のものが提案されている。
このベルトは支え帯とも呼ばれており、妊婦帯に対して部分的に補強部材を配置したもの（例えば特許文献１）が利用されている。
また妊婦帯と一体とされたベルトが前方に固定されて、背面側でベルトの端部を着脱するタイプのものも提案されている（例えば特許文献２）。
【０００３】
【特許文献１】特開２００２−８８５１８号公報（第１頁、図１１）
【特許文献２】特開平１０−２６６００２号公報（第４頁、図２）
【発明の開示】
【発明が解決しようとする課題】
【０００４】
ところが、特許文献１に記載されている妊婦帯では、妊婦帯に設けた補強部材により補強する構造であるので、ベルトに対して一定の伸縮性を持たせなければ妊婦帯を装着できない。しかし、ベルトに一定の伸縮性を持たせてしまうと、妊婦の腹部を十分に支えることが困難であった。
特許文献２に記載されている妊婦帯と一体とされたベルトを用いる場合には、ベルトの端部の着脱が妊婦の背中側で行わなければならないので、妊婦はその着脱作業は行いにくく、ベルトの端部を適切な位置で固定できないという問題があった。
そこで本発明は上記課題を解消し、ベルト同士の着脱を妊婦が簡単に行うことができ、しかも妊婦の腹部だけではなく腰部や臀部の上方の保護および保温をも行うことができるベルト付き妊婦帯を提供することを目的としている。
【課題を解決するための手段】
【０００５】
上記課題は、第１の発明によれば、筒状とされて、少なくとも前記筒が広がる方向への伸縮性を有する妊婦帯本体と、前記妊婦帯本体の背面側上方に配置されて、前記妊婦帯本体より伸縮しづらい構成とされた腰支え部と、妊婦の下腹部に沿って配置される第１ベルト部材と第２ベルト部材であって、前記腰支え部で前記第１ベルト部材の一方の端部と前記第２ベルト部材の一方の端部が固定され、前記腰支え部から斜め下方に延伸されており、前記第１ベルト部材の他方の端部と前記第２ベルト部材の他方の端部が前面側で着脱可能とされ、前記妊婦帯本体より伸縮しづらい構成とされた前記第１ベルト部材と前記第２ベルト部材と、からなり、前記妊婦帯本体が前記背面側における前記腰支え部よりも下方に延伸されていることを特徴とするベルト付き妊婦帯により、達成される。
【０００６】
第１の発明では、妊婦帯本体は、筒状とされていて、少なくとも筒の広がる方向への伸縮性を有する。
腰支え部は、妊婦帯本体の背面側上方に配置されている。この腰支え部は、妊婦帯本体よりも伸縮しづらい構成である。
第１ベルト部材と第２ベルト部材は、妊婦の下腹部に沿って配置される。腰支え部で第１ベルト部材の一方の端部と第２ベルト部材の一方の端部が固定されて第１ベルト部材と第２ベルト部材は、腰支え部から斜め下方に延伸される。第１ベルト部材の他方の端部と第２ベルト部材の他方の端部は前面側で着脱可能であり、妊婦帯本体よりも伸縮しづらい構成である。そして、妊婦帯本体は、前面側だけでなく背面側も下方に延伸されている。
【０００７】
これにより、腰支え部が、ベルトを通じて腹部の荷重を支えることができる。これとともに、第１ベルト部材と第２ベルト部材が妊婦帯本体の前面側で着脱可能に開閉することができるために、第１ベルト部材と第２ベルト部材の装着を行って妊婦の腹部を支える作業が容易に行え、適切な位置でセットできる。
そして、腰支え部に各一方の端部が固定された第１ベルト部材と第２ベルト部材を用いていることから、妊婦帯本体の前面側において、左右のバランスを良くした状態で妊婦の腹部を支えることができる。
しかも、妊婦帯本体が前面側だけでなく背面側における腰支え部よりも下方に延伸されていることから、妊婦帯本体は、妊婦の腹部だけでなく腰部や臀部上方の保護および保温を同時に行うことができる。
【０００８】
第２の発明は、第１の発明の構成において、前記第１ベルト部材における前面側となる前記他方の端部の外面には、面テープの一方の部材が配置され、前記第２ベルト部材における前面側となる前記他方の端部の内面には、前記面テープの他方の部材が配置されて、前記第１ベルト部材の前記他方の端部と前記第２ベルト部材の前記他方の端部が着脱可能とされていることを特徴とする。
【０００９】
第２の発明の構成によれば、第１ベルト部材における前面側となる他方の端部の外面には、面テープの一方の部材が配置されている。第２ベルト部材における前面側となる他方の端部の内面には、面テープの他方の部材が配置されている。第１ベルト部材の他方の端部と第２ベルト部材の他方の端部が着脱可能である。
これにより、妊婦は、第１ベルト部材側の面テープの一方の部材と、第２ベルト部材側の面テープの他方の部材を着脱するだけで着脱できるため、各ベルト部材の開閉を容易に行えるだけでなく、妊婦帯本体よりも伸縮しづらい各ベルト部材同士を結合させるため、妊婦の腹部をバランスよく確実に、しかも第１ベルト部材と第２ベルト部材の支える機能を十分に生かすことができる。
【００１０】
第３の発明は、第１の発明の構成において、前記腰支え部には、少なくとも２本の骨格部が形成されており、前記腰支え部の側縁に沿って前記第１ベルト部材の前記一方の端部と前記第２ベルト部材の前記一方の端部が固定されていることを特徴とする。
第３の発明の構成によれば、腰支え部には少なくとも２本の骨格部が形成されている。腰支え部の側縁に沿って、第１ベルト部材の一方の端部と第２ベルト部材の一方の端部が固定されている。
これにより、第１ベルト部材と第２ベルト部材にかかる妊婦の腹部の荷重は、第１ベルト部材と第２ベルト部材を介して腰支え部に確実に伝えられ、骨格部を含めた腰支え部全体でバランスよく支えることができる。
【００１１】
第４の発明は、第１の発明の構成において、前記妊婦帯本体の内面には、少なくとも背面の上方と前面の下方を連結するように配置された補強部が形成されていることを特徴とする。
第４の発明の構成によれば、妊婦帯本体の内面には、少なくとも背面の上方と前面の下方を連結するように配置された補強部が形成されている。
これにより、妊婦帯本体は補強部によって、第１ベルト部材と第２ベルト部材と相まって妊婦の腹部をより確実に支持することができる。
【００１２】
第５の発明は、第１の発明の構成において、前記腰支え部に固定された前記第１ベルト部材の前記一方の端部近傍と前記腰支え部に固定された前記第２ベルト部材の前記一方の端部近傍における少なくとも上縁側が、下方に窪む方向の曲線形状に形成されていることを特徴とする。
第５の発明では、第１ベルト部材の一方の端部近傍と第２ベルト部材の一方の端部近傍における少なくとも上縁側が、下方に窪む方向の曲線形状に形成されている。
これによって、第１ベルト部材と第２ベルト部材は、妊婦帯本体により保持されている腹部の曲線に沿って腹部をより確実に保持することができ、さらに腹部の曲線に沿って各ベルト部材がフィットすることで、衣類等における外観に影響を与えることを防ぐことができる。
【発明の効果】
【００１３】
以上説明したように、本発明によれば、腹部を確実に支えるためのベルトの着脱を妊婦が簡単に行うことができ、しかも妊婦の腹部だけではなく腰部や臀部の上方の保護および保温をも行うことが容易になる。
【発明を実施するための最良の形態】
【００１４】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
図１は、本発明のベルト付き妊婦帯の好ましい実施形態を示す斜視図であり、図２は、ベルト付き妊婦帯１０の側面図である。
図１と図２では、ベルト付き妊婦帯１０は、妊婦である使用者Ｍの腹部に装着された例を示している。
図３は、ベルト付き妊婦帯１０の正面側から見た展開図であり、図４は、ベルト付き妊婦帯１０の背面側から見た展開図である。
【００１６】
図１と図２に示すように、ベルト付き妊婦帯１０は、妊婦の腹部を保温しかつ保護するために用いられる。
図１と図２に用いられるベルト付き妊婦帯１０は、妊婦帯本体１２と、腰支え部１４と、２本のベルト部材である第１ベルト部材２１と第２ベルト部材２２を有している。
妊婦帯本体１２は、筒状になっていて、少なくとも筒が広がる方向に関して伸縮性を有している。この妊婦帯本体１２の身生地は、例えばポリエステルとポリウレタンを混ぜたメッシュ状の部材や、フライス等の各種ニット材料等を用いることができる。
これにより、妊婦帯本体１２は、前面側も背面側も下方に延伸された形状を有しており、使用者Ｍが腹部Ｆを通した時に、妊婦帯本体１２は筒が広がる方向へ伸縮自在である。妊婦帯本体１２は、使用者Ｍの腹部Ｆだけでなく、図２に示す腰部Ｇ、および臀部Ｄの少なくとも上方の部分の保護および保温を行うことができるような筒形状を有している。
【００１７】
図３と図４に示すように、妊婦帯本体１２は筒状体である。図３に示すように、妊婦帯本体１２の前面部７０は、上下方向に長いほぼ長方形状である。前面部７０の上縁７１は、Ｚ１方向に突出するような凸状形状になっている。これに対して前面部７０の下縁７２は、Ｚ１方向に対して直交するような直線状になっている。
図４に示すように、妊婦帯本体１２の背面部８０も上下方向に長いほぼ長方形状であるが、背面部８０の上縁８９は、Ｚ２方向である下方向に向けて凹形状になるようになっている。これに対して背面部８０の下縁８３は、前面部７０の下縁７２に比べてＺ１方向に凹形状になるように形成されており、上下方向において背面部８０よりも前面部７０が僅かに大きく形成されている。
【００１８】
この妊婦帯本体１２には、図３と図４に示すように、破線と実線で示すように補強部１００が形成されている。補強部１００は、妊婦帯本体１２の内面側であって、少なくとも背面部８０の上方と前面部の下方を連結するように配置されている。この補強部１００は、補強部の背面の上方部分１０１、補強部の背面の中央部分１０２、補強部の背面の下方部分１０３とそして図３に示す補強部の前面の下方部分１０４を有している。
補強部の背面の上方部分１０１は、背面部８０の上縁８９であって、腰支え部１４の内側に位置して背面部８０の中央位置まで達している。補強部の背面の中央部分１０２は、背面部８０の中央位置に位置し、補強部の背面の下方部分１０３は背面部８０の下方部分に位置している。図３に示すように補強部の前面の下方部分１０４は、前面部７０の下方位置に全周に沿って中央で窪む曲線状に形成されている。このような補強部１００は、図３と図４では破線で示している。図２では、補強部の背面の下方部分１０３と補強部の前面の下方部分１０４が図示されており、補強部の背面の上方部分１０１から徐々に幅が広がり、補強部の前面の下方部分１０４では下縁７２，８３の全周に渡って配置されるよう配置されている。なお、補強部１００は、腰支え部１４の位置から、補強部の前面の下方部分１０４を結ぶよう配置されていれば良く、後述する各ベルト部材２１，２２に近似した形状となるよう配置されていることが好ましい。
【００１９】
このような裏当て地となる補強部を設けることにより、妊婦帯本体１２はこの補強部によっても、第１ベルト部材２１と第２ベルト部材２２と相まって妊婦の腹部をより確実に支持することができる。
ベルト付き妊婦帯１０を着脱できるよう補強部１００の材質としては、例えばポリエステルや綿、ナイロン等にポリウレタンを混ぜた伸縮性を有する材質やフライス、天竺、２ＷＡＹ素材等の伸縮素材により作られているが、妊婦帯本体よりも伸縮しづらい構成とされている。
【００２０】
次に、図１と図２に示す腰支え部１４について説明する。
図１と図２に示すように腰支え部１４は、使用者Ｍの腰部Ｇに対応して配置されるものである。この腰支え部１４は、図４に示すように妊婦帯本体１２の背面部８０の上方位置に対して外面側から例えば縫合により取り付けられている。この腰支え部１４の材質としては、妊婦帯本体１２の材質より伸縮しづらい材質により作られていれば、伸縮性を僅かに持たせて腰へのフィット性を高めたものでも良く、伸縮性を有さない構成として保持力を高めるよう構成しても良い。腰支え部１４の材質としては、伸縮性を有するものとしてはストレッチラッセルを二重にしたものや、サテンネット、パワーネット、各種クッション材等の内、伸縮しづらいものを採用することができ、伸縮性を有さないものとしては、トリコットや不織布等によるものを使用することができる。なお、腰支え部１４は強度が必要となるため比較的厚い構成となり、通気性を高めるための複数の通気孔を形成することや、通気素材を採用すること等による通気手段を有するものとしても良い。
図４に示す腰支え部１４の形状は、図４の例では略逆台形状になっている。しかしこの腰支え部１４の形状は略逆台形状に限らず長方形状あるいは正方形状または正立した台形状であっても勿論構わないし、その他の形状であっても良い。
【００２１】
腰支え部１４は、図４の例では２本のボーン１５０を有している。
このボーン１５０は、例えばプラスチックの平板状の部材である。ボーン１５０，１５０は、骨格部とも呼んでおり、その両者の間隔が上方へ行くほど狭まる形態となっており、下方へ行くほど広がっている。
このボーン１５０，１５０は、いわゆる「ハ」の字型に配置されることにより、腰部の背骨の両側にボーン１５０，１５０が配置できる。これによって、ボーン１５０，１５０は、腰支え部１４とともに背骨を確実に支える機能を有している。しかもボーン１５０，１５０は、下側に向うほど広がった形状に配置されているので、ボーン１５０，１５０は、骨盤近い背骨の領域をより確実に支えることができる。但し、ボーン１５０，１５０を上下に伸び背骨の両側に配置されるよう構成すれば、平行となるよう配置してもよく、４本や６本としても良い。
【００２２】
次に、図１と図２に示す第１ベルト部材２１と第２ベルト部材２２について説明する。
第１ベルト部材２１と第２ベルト部材２２は、図１に示すように妊婦である使用者Ｍの下腹部に沿って配置される２本のベルトである。これらの第１ベルト部材２１と第２ベルト部材２２の一方の端部が腰支え部１４に固定され、そこから斜め下方Ｔ方向に沿って延伸されている。
このような状態で第１ベルト部材２１と第２ベルト部材２２の他方の端部が、着脱可能にしかも妊婦帯本体１２の前面部側において固定されている。第１ベルト部材２１と第２ベルト部材２２は、妊婦帯本体１２の材質よりも伸縮しづらい材質の材料により作られている。第１ベルト部材２１と第２ベルト部材２２の表面側は、例えば伸縮性を有するポリエステルとポリウレタンを混ぜた材料を用い、裏面側はパワーネットを使用したものや、それぞれを単独で使用したもの以外にもフライス等を使用することができる。
なお、上述したいずれの素材も伸縮性を有しているものを使用することができるが、妊婦帯本体１２、各ベルト部材２１，２２、腰支え部１４の順で伸縮しやすい材料を選択して使用することが好ましく、補強部１００は妊婦帯本体１２よりも伸縮しづらく、各ベルト部材２１，２２よりも伸縮するよう構成することが好ましい。
【００２３】
図３と図４は、第１ベルト部材２１と第２ベルト部材２２の構造例を示している。
第１ベルト部材２１と第２ベルト部材２２は、図４において例えばほぼ中心軸ＣＬを中心として左右対称形状を有している。第１ベルト部材２１の一方の端部８１は基端と呼ばれており、この一方の端部８１は、腰支え部１４の左側の側縁１４Ａとともに、背面部８０の上方位置において縫合により固定されている。第２ベルト部材２２の一方の端部９１は基端とも呼ばれ、この一方の端部９１は、腰支え部１４の右側の側縁１４Ｂが背面部８０の上方位置に縫合して固定されているが、腰支え部１４の上端となる上縁８９の位置で固定され、基端８１，９１近傍が交差するよう配置されていても良い。
【００２４】
第１ベルト部材２１と第２ベルト部材２２は、それぞれＴ方向に沿って斜め下方向に向いている。第１ベルト部材２１の他方の端部８２は、曲線部分８２Ａを有している。同様にして第２ベルト部材２２の他方の端部９２も、曲線部分９２Ａを有している。
第１ベルト部材２１の他方の端部８２の付近であって、外面側には面テープの一方の部材３００が形成されている。これに対して図３に示すように第２ベルト部材２２の内面には、面テープの他方の部材３０１が形成されている。この面テープの他方の部材３０１の付近には保護用の部材３０３が形成されている。面テープの他方の部材３０１の形成面積は、保護用の部材３０３の形成用の面積よりもやや小さい。この面テープは面ファスナともいう。
【００２５】
図３と図４に示す面テープの一方の部材３００は、例えばメス部材を使用することができる。これに対して図３と図４に示す面テープの他方の部材３０１は、オス部材を採用することができる。保護用の部材３０３は、メス部材を採用することができる。
これにより、第１ベルト部材２１の外面側の面テープの一方の部材３００は、第２ベルト部材２２の他方の端部９２の内面側の面テープの他方の部材３０１に対して、つまり各ベルト部材２１，２２を前面部７０の下縁７２側で着脱可能に固定することができる。
【００２６】
例えばベルト付き妊婦帯１０を使用せずに畳んでしまっておく場合や、洗濯する場合には、面テープの他方の部材３０１は例えば面ファスナのオス部材であるので、このオス部材にはごみが付着したりあるいは面テープの他方の部材３０１が前面部７０等に付着して前面部７０の表面等を傷めてしまう場合がある。このようなことを防ぐために、面テープの他方の部材３０１は、保護用の部材３０３に対して着脱可能に、図３の部分Ｗに示すように、保護用の部材３０３に対して着脱可能になるように折り曲げて貼り付けておくことができる。このため保護用の部材３０３は面ファスナのメス部材である。
これによって面テープの他方の部材３０１に対してごみが付着したり、面テープの他方の部材３０１が前面部７０側等に不用意に貼り付いたりするのを確実に防げる。
なお、各ベルト部材２１，２２の着脱手段として、面テープを逆に使用しても良く、また、面テープ以外にも、複数列設けられたフックとループや、ボタン、長さ調整が可能なバックル等の各種着脱手段を使用することができる。
【００２７】
図４と図３に示すように、第１ベルト部材２１の一方の端部８１側の上側領域は、曲面形状部分４００を有している。同様にして第２ベルト部材２２の一方の端部９１の上側領域には曲面形状部分４００を有している。この曲面形状部分４００は、第１ベルト部材２１と第２ベルト部材２２の一方の端部８１，９１の付近に形成されているが、曲面部分４００は、例えば図１と図２に示すように、腰部Ｇから腹部Ｆ側に向けての側部側の膨らみに応じた形状である。これによって、直線状であるのに比べて、第１ベルト部材２１と第２ベルト部材２２は、横腹部分の形状に応じて確実に支えることができる。このように、曲面形状部分４００が、一方の端部８１，９１の近傍にそれぞれ形成されていることから、第１ベルト部材２１と第２ベルト部材２２の腰部から横腹部にかけてのフィット感をより確実に向上させることができる。
【００２８】
次に、本発明のベルト付き妊婦帯１０の装着使用例について説明する。
まず、使用者Ｍが図１と図２に示すように妊婦帯本体１２の上部開口１２Ｐから両足を入れて通すことにより、下部開口１２Ｑ側から足を出す。これによって上部開口１２Ｐは乳房１１Ａ，１１Ｂの下側付近にまで達し、下部開口１２Ｑは両足の付け根よりもやや下側まで位置することになる。妊婦帯本体１２は、前面側だけでなく背面側も全体にわたって下方に向けて伸びている形状でかつ筒形状であるので、このベルト付き妊婦帯１０の妊婦帯本体１２は、腹部だけではなく腰部や臀部の上方の保温や保護を確実に行うことができる。
【００２９】
次に、使用者Ｍが手で第１ベルト部材２１と第２ベルト部材２２を前側に向けてＴ方向に回しつつ、第１ベルト部材２１の面テープの一方の部材３００に対して第２ベルト部材２２の面テープの他方の部材３０１を着脱可能に重ね合わせる。
これによって、面テープの他方の部材３０１と面テープの一方の部材３００が連結されることにより、第１ベルト部材２１の他方の端部８２と第２ベルト部材２２の他方の端部９２は、確実に腹部Ｆの下側部分、すなわち下腹部において固定される。第１ベルト部材２１と第２ベルト部材２２は、腰支え部１４から斜め下方であるＴ方向に沿って伸びており、他方の端部８２と他方の端部９２は、妊婦帯本体１２の前面側でかつ下腹部側で着脱される。
【００３０】
そして、第１ベルト部材２１と第２ベルト部材２２の材質は、妊婦帯本体１２の材質よりも伸縮しづらい材質により作られている。
これによって、腰支え部１４が、ベルトを通じて腹部の荷重を確実に支えることができる。これとともに、第１ベルト部材２１と第２ベルト部材２２が妊婦帯本体１２の前面側７０で着脱可能に開閉することができるために、第１ベルト部材２１と第２ベルト部材２２の装着を行って妊婦の腹部Ｆを前面側において左右のバランスを良くした状態で支える作業が容易に行える。
【００３１】
使用者が第１ベルト部材２１と第２ベルト部材２２の着脱を妊婦帯本体１２の前面側で行うことができるので、背面側で着脱を行うのに比べて姿勢を崩さずに確実にかつ簡単に着脱作業を行うことができる。
【００３２】
妊婦は、第１ベルト部材側の面テープの一方の部材と、第２ベルト部材側の面テープの他方の部材を着脱するだけで、妊婦帯本体の前面側において、妊婦の腹部を確実に、しかも第１ベルト部材と第２ベルト部材の支える機能を十分に生かすことができる。
この時、腰支え部１４はこの状態では第１ベルト部材２１と第２ベルト部材２２からかかる下腹部の荷重を支えて、使用者Ｍの腰部Ｇ側に確実に伝えて支えることができる。妊婦帯本体１２は、図３と図４に示すように補強部１００を有していることから、妊婦帯本体は補強部によって、第１ベルト部材と第２ベルト部材と相まって妊婦の腹部をより確実に支持することができる。
【００３３】
ところで本発明は上記実施形態に限定されるものではない。
例えば図１における第１ベルト部材２１が、妊婦帯本体１２の下腹部において、仮固定できるようにしても構わない。すなわち第１ベルト部材２１の内面側が妊婦帯本体１２の下腹部に設けられた仮固定用の例えば面ファスナに対して仮固定可能にすることができる。
これによって、使用者Ｍが第１ベルト部材２１をまず下腹部側に位置させる時に、第１ベルト部材の位置ずれを防止することができる。このような仮固定の方式は、第１ベルト部材２１と第２ベルト部材２２の両方において行っても勿論構わない。すなわち第２ベルト部材２２は、下腹部における妊婦帯本体１２の表面側に別の仮固定部材を配置することにより、第２ベルト部材２２も妊婦帯本体１２の下腹部側の表面に仮固定することができる。
【００３４】
これによって使用者Ｍは第１ベルト部材２１と第２ベルト部材２２を妊婦帯本体１２の下腹部側において確実に仮固定しながら第１ベルト部材２１と第２ベルト部材２２を容易に着脱可能に連結することができるのである。
腰支え部１４は、例えばクッション性を有する通気性素材または伸縮性素材を用いることができる。
また、面テープ等の係止手段を使用することで、妊婦帯本体１２に対して、一体とされた腰支え部１４と各ベルト部材２１，２２が着脱可能とされていても良い。
このように構成することで、妊娠状況に応じて、妊娠初期は通常の妊婦帯と同様に妊婦帯本体１２のみを使用し、妊娠後期は腰支え部１４、各ベルト部材２１，２２を取り付けて使用して確実に下腹部を支えるよう構成することができ、さらには、使用者の体形に応じて腰支え部１４、各ベルト部材２１，２２の位置を微調整して使用することができる。
【００３５】
上述したように図４に示すように曲面形状部分４００を設けることにより、第１ベルト部材２１と第２ベルト部材２２は、使用者Ｍの体型に上手く合わせて下腹部を確実に保持することができる。
曲面形状部分４００は、図４に示す一方の端部８１，９１から他方の端部８２，９２までそれぞれ全領域にわたって形成しても良いし、図示例のように一部領域であって一方の端部８１と一方の端部９１側の近傍のみに設けても勿論構わない。
【００３６】
図５は、本発明のベルト付き妊婦帯の別の好ましい実施形態を示す背面図である。
図５に示すベルト付き妊婦帯５００は、図１ないし図４に示すベルト付き妊婦帯１０に比べて概略的な構造は似ているが、図５に示すベルト付き妊婦帯５００は股下部７００，７００が妊婦帯本体６１２に対して下方に延長して形成されている点が異なる。また図５に示すベルト付き妊婦帯５００の腰支え部７１４が、図４に示す腰支え部１４に比べると異なる。
【００３７】
図５のベルト付き妊婦帯５００のその他の構成要素部分は、図４に示すベルト付き妊婦帯１０の対応する構成要素部分と略同じものである。図５のベルト付き妊婦帯５００は、妊婦帯本体６１２と、腰支え部７１４と、２本のベルト部材である第１ベルト部材５２１と第２ベルト部材５２２を有している。妊婦帯本体６１２が筒状になっていることは図４に示す妊婦帯本体１２と同様であるが、さらに妊婦帯本体６１２の下の部分には、股下部７００，７００が形成されて、太腿の上部まで覆う形態の所謂ガードル状とされている。股下部７００，７００の下縁６７２は、下部開口５１３，５１３を有している。
【００３８】
妊婦帯本体６１２は、使用者が腹部を通した時に、筒が広がる方向に伸縮自在である。妊婦帯本体６１２は、伸縮性を有しつつ、腰部、臀部を支えるだけではなくフィット感を持たせて保温することができるような形状になっている。
図５に示す妊婦帯本体６１２の股下部７００は、所謂ロングタイプガードル状であって、上下方向長さを有しているものであるが、股下部７００の上下方向長さがＣＬ方向に沿って短く、股間部は形成されているものの、股下部７００が形成されていない所謂ショートタイプのものであっても勿論構わない。
【００３９】
図５に示す腰支え部７１４は、使用者の腰部に対応して配置されるものである。この腰支え部７１４は、妊婦帯本体６１２の背面部６８０の上方位置に対して外面側からたとえば縫合により取り付けられている。腰支え部７１４は、上辺部に対して下辺部が広がった形状になっていて、下辺部は下方向に突出している形状である。腰支え部７１４はこのような形状であるので、骨盤に近い領域を確実に支えることができる。
【００４０】
しかも、腰支え部７１４の中には、たとえばプラスチックや、厚みを持たせてコシを出した織物や不織布等により作られた板状部材７５０が収容されて固定されている。この板状部材７５０は、破線で示している形状を有しているが、板状部材７５０は４つの突出部７５５，７５５，７５６，７５６を有している。このために、突出部７５５，７５５の間には凹部７５７を有しており、突出部７５６，７５６は上方の突出部７５５，７５５よりも大きく形成されて、その間には凹部７５８を有している。板状部材７５０の中心には楕円形状の穴７５１が形成されている。この穴７５１は、背骨の突出している部分を収めると共に通気性を確保する機能を有している。なお、穴７５１は複数の小孔としても良く、また各突出部の高さを均等にしたり、上方の突出部７５５側が大きく形成しても良い。
このことから板状部材７５０は、骨盤に似た形状であり腰支え部７１４とともに、背骨を確実に支えながら腰痛の軽減を図ることができる。
【００４１】
図５に示す第１ベルト部材５２１と第２ベルト部材５２２について説明する。
第１ベルト部材５２１と第２ベルト部材５２２は、図４に示す第１ベルト部材２１と第２ベルト部材２２と実質的に同様の構造のものである。第１ベルト部材５２１と第２ベルト部材５２２は、腰支え部７１４から斜め下方Ｔ方向に沿って延伸されている。第１ベルト部材５２１と第２ベルト部材５２２は、妊婦帯本体６１２の材質よりも伸縮しづらく、感触が軟らかい材料により作られていることは、図４の実施形態と同じである。
【００４２】
第１ベルト部材５２１と第２ベルト部材５２２は、たとえば略中心軸ＣＬを中心として左右対称形状を有している。第１ベルト部材５２１の一方の端部６８１は腰支え部７１４の一方の端部７１４Ａに縫合により固定されている。第２ベルト部材５２２の一方の端部６９１は、腰支え部７１４の右側の側縁７１４Ｂに縫合により固定されている。
第１ベルト部材５２１の他方の端部６８２の外面側には、面テープの一方の部材６００が形成されている。第２ベルト部材５２２の内面には、面テープの他方の部材６０１が形成されている。面テープの他方の部材６０１の付近には、保護用の部材６０３が形成されている。面テープの一方の部材６００はたとえばメス部材であり、面テープの他方の部材６０１はオス部材を採用することができ、保護用の部材６０３はメス部材を採用し、他方の部材６０１を未使用時に固定することができる。
【００４３】
第１ベルト部材５２１の外面側の面テープの一方の部材６００は、第２ベルト部材５２２の内面側の面テープの他方の部材６０１に対して、妊婦帯本体６１２の前面側で着脱可能に固定することができる。これにより、腰支え部が、ベルトを通じて腹部の荷重を支えることができる。これとともに、第１ベルト部材と第２ベルト部材が妊婦帯本体の前面側で着脱可能に開閉することができるために、第１ベルト部材と第２ベルト部材の装着を行って妊婦の腹部を支える作業が容易に行え、適切な位置でセットできる。
そして、第１ベルト部材と第２ベルト部材を用いていることから、妊婦帯本体の前面側において、左右のバランスを良くした状態で妊婦の腹部を支えることができる。
しかも、妊婦帯本体が前面側だけでなく背面側における腰支え部よりも下方に延伸されており、さらに、股下部７００，７００が形成されていることから、妊婦帯本体が上方にずり上がることがない等、確実にフィットできると共に、妊婦の腹部だけでなく腰部や臀部の保護および保温を同時に行うことができる。
なお、第１ベルト部材５２１と第２ベルト部材５２２には、それぞれ図３に示す曲面形状部分４００をさらに形成するようにしても構わない。
また、腹部の中央領域や両脇等において、ベルト部材の内面（肌当接面）側に一方の面ファスナ等を形成し、妊婦帯本体６１２の対応する外面に他方の面ファスナ等を形成することで、着用状態で各ベルト部材５２１，５２２が位置ずれしないよう構成しても良い。
【００４４】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４５】
【図１】本発明のベルト付き妊婦帯の実施形態が装着された状態を示す前側から見た斜視図。
【図２】図１のベルト付き妊婦帯を装着した状態を示す側面から見た図。
【図３】ベルト付き妊婦帯の正面側から見た展開図。
【図４】ベルト付き妊婦帯の背面側から見た展開図。
【図５】本発明のベルト付き妊婦帯の別の実施形態を示す背面側から見た斜視図。
【符号の説明】
【００４６】
１０・・・ベルト付き妊婦帯、１２・・・妊婦帯本体、１４・・・腰支え部、２１・・・第１ベルト部材、２２・・・第２ベルト部材、８１・・・第１ベルト部材の一方の端部、８２・・・第１ベルト部材の他方の端部、９１・・・第２ベルト部材の一方の端部、９２・・・第２ベルト部材の他方の端部、１００・・・補強部、１５０・・・ボーン、３００・・・面テープの一方の部材、３０１・・・面テープの他方の部材
【図１】
2005207001.tif 000003
【図２】
2005207001.tif 000004
【図３】
2005207001.tif 000005
【図４】
2005207001.tif 000006
【図５】
2005207001.tif 000007